【事件の表示】
　平成　１年特許願第　７４４２２号「プリンタヘッド」拒絶査定に対する審判事件［　（平成　２年１０月　９日出願公開、特開平　２−２５１４５９）、請求項の数（２） ］について、次のとおり審決する。
【結　論】
　本件審判の請求は、成り立たない。
【理　由】
１．手続きの経緯・本願発明
　本願は、平成１年３月２７日の出願であって、その請求項１に係る発明（以下「本願発明１」という）及び請求項２に係る発明（以下「本願発明２」という）は、平成８年３月４日付、、平成１０年３月２３日付、平成１０年３月２５日付の手続き補正書によって補正された明細書及び図面の記載からみて、本願の特許請求の範囲の請求項１及び請求項２に記載された次のとおりのものと認める。
「（１）、導入される記録液体を収容するとともに、該記録液体に熱によって気泡を発生させ、該気泡の体積増加にともなう作用力を発生させる発熱部を付設した流路と、該流路に連絡して前記記録液体を前記発熱部の熱エネルギーによって液滴として吐出させるためのオリフィスと、前記流路に連絡して前記流路に前記記録液体を導入するための液室と、該液室に前記記録液体を導入する手段とを有し、前記発熱部及び電極が前記流路中に形成されている液体噴射型のプリンタヘッドにおいて、前記発熱部と、該発熱部に通電するための電極と、前記発熱部及び電極が形成される基板とを有し、前記電極は第1の電極と第2の電極とから成り、前記第1の電極は前記基板上に形成され、その表面上部には前記発熱部を構成する発熱抵抗体層に接続される部分とリード線が接続される接続部とを残して絶縁層が形成され、該絶縁層は、0.5μmより厚く形成され、前記絶縁層の上に前記第2の電極及び前記発熱抵抗体層が形成され、該発熱抵抗体層は一部が前記第1の電極に接続されるとともに他の一部が前記第2の電極に接続されていることを特徴とする液体噴射型のプリンタヘッド。
（２）、加熱制御手段を有するサーマルヘッド型のプリンタヘッドにおいて、発熱部と、該発熱部に通電するための電極と、前記発熱部及び電極が形成される基板とを有し、前記電極は第1の電極と第2の電極とから成り、前記第1の電極は前記基板上に形成され、その表面上部には前記発熱部を構成する発熱抵抗体層に接続される部分とリード線が接続される接続部とを残して絶縁層が形成され、該絶縁層は、0.5μmより厚く形成され、前記絶縁層の上に前記第2の電極及び前記発熱抵抗体層が形成され、該発熱抵抗体層は一部が前記第1の電極に接続されるとともに他の一部が前記第2の電極に接続されていることを特徴とするサーマルヘッド型のプリンタヘッド。」
　なお、本願については、平成10年10月9日付けで一部補正された平成10年8月7日付の手続き補正がされたが、これは平成10年10月29日付の補正却下の決定によって却下され確定したので、上記のように本願発明１及び本願発明２を認定した。
　
２．引用刊行物記載の発明
　原査定の拒絶理由に引用された本願の出願前に頒布された特開昭55-132252号公報（以下「引用例１」という）には、次の事項が記載されている。
（１）吐出エネルギー発生手段が生ずるエネルギーの作用によって、液室内の記録液を吐出オリフィスから吐出させ液滴として飛翔させて記録を行なう記録ヘッドに於いて、前記エネルギー発生手段に信号を印加する為の通電手段が、基板上の絶縁層を挟持している導電層であることを特徴とする記録ヘッド（特許請求の範囲第1項）
（２）又、第１図の記録ヘッドでは、実際には、電気熱変換体の発熱要素としての発熱抵抗体2-1，2-2・・・2-ｎを絶縁層11上に設置した導電性基板1と、記録液を収容する液室となる長尺溝状パターン3-1，3-2，・・・3-ｎを設けた溝付き板４とを互に発熱抵抗体−長尺溝が対応位置にくるようにして接合し一体化されている。絶縁層11は、電気的絶縁を目的とするのみならず、発熱抵抗体が発生する熱の流量制御の為の蓄熱層としても機能している。（第3頁左上欄5行〜14行）
（３）第1図に示す記録ヘッドの駆動状況を簡単に述べると、不図示の記録液供給系から管10により各長尺溝状パターン3-1，3-2，・・・3-ｎに記録液が導入された後、・・・発熱抵抗体2-1，2-2・・・2-ｎに選択的に信号・・・を入力する。すると信号の入力に従って、発熱抵抗体2-1，2-2，・・・2-ｎが熱パルスを発生し、記録液は該熱エネルギーの作用を受けて体積膨張・気化等の状態変化を生じる。該状態変化による圧力変化は、基板1の前縁部9及び溝つき板の溝状パターンの端部で形成される吐出オリフィスの方向に伝わり、該圧力変化が記録液を吐出させる為の作用力となって、吐出オリフィスから記録液が液滴として吐出・飛翔する。（第4頁左上欄3行〜19行）
（４）第２図（ｂ）は、本発明記録ヘッドの別の実施態様であり、絶縁性の基板上に導電層12を形成し、これを信号印加用の導電層即ち電極として利用する例である。（第３頁左下欄14行〜17行）
（５）そして基板1上に形成された発熱抵抗体2-1，2-2，・・・2-ｎには、更に該抵抗体に選択的に電気信号を印加するための選択電極（リード）5-1，5-2・・・5-ｎと、共通電極（リード）6-1，6-2，・・・6-ｎ等が接続されている。（第3頁左上欄第15行〜末行）
（６）第２図（ａ）に示す構造の基板を用いて、記録ヘッドを作成した。但し、基板1・・・、絶縁層11；SiO2（５μm厚）、（４頁左下欄２行〜６行）
　
　以上の記載から、対比のために技術的事項をまとめる。
ａ．上記（2）、（3）、（5）の記載からみて、「導入された記録液を収容する液室には発熱抵抗体2-1，2-2，・・・2-ｎ及び電極が付設されており、発熱抵抗体は記録液に熱によって気泡を発生させ、該気泡の体積増加にともなう作用力を発生させる」
ｂ．上記（3）の記載からみて、「吐出オリフィスは液室に連絡して、記録液を発熱抵抗体の熱エネルギーによって液滴として吐出させる」
ｃ．上記（3）の記載からみて、「記録液が記録液供給系から管10により液室に導入される」
ｄ．上記（4）、（5）の記載からみて、「基板1には、発熱抵抗体、発熱抵抗体に通電するための電極が形成され、電極は選択電極（リード）5-1，5-2・・・5-ｎと、導電層12及び共通電極（リード）6-1，6-2，，・・・6-ｎからなる」
ｅ．上記（2）、（4）、（5）、（6）及び第２図（ａ）、（ｂ）の記載からみて、「導電層12は基板1上に形成され、その表面上部には共通電極を介して発熱抵抗体層に接続される部分と、リード線が接続される接続部とを残して絶縁層11が形成され、絶縁層は、5μmの厚さに形成される絶縁層11の上に選択電極と発熱抵抗体が形成され、発熱抵抗体は選択電極と共通電極に接続されている」
ｆ．上記（1）、（3）の記載からみて技術的事項ａ〜ｆからなる「液体噴射型のプリンタヘッド」
　
３．対比
Ａ．本願発明１
　本願発明１と引用例1に記載された考案とを対比すると、引用例1の「発熱抵抗体」、「液室」、「吐出オリフィス」、「管10」、「導電層12及び共通電極」、「選択電極」、「絶縁層11」が、それぞれ本願発明1の「発熱部」、「流路」、「オリフィス」、「液室に記録液体を導入する手段」、「第１電極」、「第２電極」、「絶縁層」に相当し、また、引用例1記載の絶縁層11の厚さ5μmは本願発明1で絶縁層の厚さとして規定している0.5μmより厚く、さらに本願発明1と引用例1記載の発明は、流路に記録液体を導入する手段を有する点で共通するから、次のような一致点、相違点がある。
（一致点）
　導入される記録液体を収容するとともに、該記録液体に熱によって気泡を発生させ、該気泡の体積増加にともなう作用力を発生させる発熱部を付設した流路と、該流路に連絡して前記記録液体を前記発熱部の熱エネルギーによって液滴として吐出させるためのオリフィスと、前記流路に記録液体を導入する手段とを有し、前記発熱部及び電極が前記流路中に形成されている液体噴射型のプリンタヘッドにおいて、前記発熱部と、該発熱部に通電するための電極と、前記発熱部及び電極が形成される基板とを有し、前記電極は第1の電極と第2の電極とから成り、前記第1の電極は前記基板上に形成され、その表面上部には前記発熱部を構成する発熱抵抗体層に接続される部分とリード線が接続される接続部とを残して絶縁層が形成され、該絶縁層は、0.5μmより厚く形成され、前記絶縁層の上に前記第2の電極及び前記発熱抵抗体層が形成され、該発熱抵抗体層は一部が前記第1の電極に接続されるとともに他の一部が前記第2の電極に接続されていることを特徴とする液体噴射型のプリンタヘッド。
（相違点）
　流路に記録液体を導入するための構成として、本願発明1は流路に液室を連絡させ、その液室に記録液体を導入する手段によって、記録液体を導入しているのに対して、引用例1記載の発明は記録液体を導入する手段から導入された記録液体がどのように流路に供給されるかの構成について特に記載がない点で相違している。
（相違点の検討）
　液体噴射型のプリンタヘッドにおいて、流路に記録液体を供給する構成として共通液室を介して各流路に供給する構成は周知であり（必要あらば、特開昭56-46769号公報、特開昭55-132275号公報、特開昭58-224760号公報）、この相違点は当業者が容易に考えつくことができた構成の変更である。
　
Ｂ．本願発明２
　本願発明２と引用例1に記載された考案とを対比すると、次のような一致点、相違点がある。
（一致点）
　プリンタヘッドにおいて、前記発熱部と、該発熱部に通電するための電極と、前記発熱部及び電極が形成される基板とを有し、前記電極は第1の電極と第2の電極とから成り、前記第1の電極は前記基板上に形成され、その表面上部には前記発熱部を構成する発熱抵抗体層に接続される部分とリード線が接続される接続部とを残して絶縁層が形成され、該絶縁層は、0.5μmより厚く形成され、前記絶縁層の上に前記第2の電極及び前記発熱抵抗体層が形成され、該発熱抵抗体層は一部が前記第1の電極に接続されるとともに他の一部が前記第2の電極に接続されていることを特徴とするプリンタヘッド。
（相違点）
　プリンタヘッドが、本願発明2はサーマルヘッド型であって、発熱部や電極が記録液が導入される流路に配置されていないのに対して、引用例1記載の発明は液体噴射型であって、発熱部や電極が記録液が導入される流路に配置されている点で相違している。
（相違点の検討）
　液体噴射型のプリンタヘッドとサーマルヘッド型のプリンタヘッドにおいて、発熱部及び電極の構成に関しては加熱する対象が異なるだけで基本的に共通し高密度配置を可能にするという課題においても共通し、しかも発熱部及び電極の構成に関して本願発明2と同じ構成からなるサーマルヘッド型のプリンタヘッドは周知であるから（特開昭56-164877号公報、特公昭58-46079号公報参照）、上記相違点は当業者が容易に考えつくことができた構成の変更である。
　
４．まとめ
　以上のことから、本願発明1及び本願発明2は引用例１記載の発明及び周知技術に基づいて当業者が容易に発明をすることができたものであるので、特許法第29条 第2項の規定により特許を受けることができない。
　よって結論のとおり審決する。